(57)【特許請求の範囲】
【請求項１】
マイクロホン又はマイクロホンボタンを楽器に固定する固定装置（１）において、
間に弾力で楽器の一部を締付け得る２個の止着部材（３、５）と、止着部材（３、５）の夫々の端部が弾性的に連結される連結部材（７）と、マイクロホン又はマイクロホンボタンを固定装置（１）に固定する支持部品（２５）と、止着部材（３、５）の各々に設けた操作部（９ａ、９ｂ、１１）とを備え、又、固定装置（１）の不使用状態において、止着部材（３、５）の一方の操作部が、楽器の一部を締付ける時に止着部材（３、５）の一方によって形成される弾力の方向に、止着部材（３、５）の他方から少くとも部分的に張出し、更に、止着部材（３、５）の少くとも１個（３）が、分割片（３ａ、３ｂ）に少くとも２分割されており、且つ、分割片（３ａ、３ｂ）が、大略側方に互いに間隔をあけて連結部材（７）から延在すると共に、別の止着部材（５）が分割片（３ａ、３ｂ）の間に少くとも部分的に配置された固定装置（１）。
【請求項２】
分割片（３ａ、３ｂ）が、大略平行に、且つ、互いに間隔をあけて延在する請求項１に記載の固定装置。
【請求項３】
操作部（９ａ、９ｂ、１１）が連結部材（７）の近傍に配置された請求項１又は２に記載の固定装置。
【請求項４】
操作部（９ａ、９ｂ）を分割片（３ａ、３ｂ）の各々に設けた請求項１乃至３のいずれかに記載の固定装置。
【請求項５】
一体物として形成した請求項１乃至４のいずれかに記載の固定装置。
【請求項６】
第１止着部材（３）が２分割されている一方、第２止着部材（５）が、一体物として形成されていると共に、第１止着部材（３）の分割片（３ａ、３ｂ）の大略間に配置された請求項１乃至５のいずれかに記載の固定装置。
【請求項７】
第１止着部材（３）の分割片（３ａ、３ｂ）の自由端が互いに連結されている請求項６に記載の固定装置。
【請求項８】
止着部材（３、５）の自由端（１７、１９）を、楽器の一部を締付ける時に対応する止着部材（３、５）によって形成される弾力の方向（１３、１５）と逆に所定量だけ屈曲させた請求項１乃至７のいずれかに記載の固定装置。
【請求項９】
止り肩部（２１、２３）を、楽器の締付けるべき一部に指向する止着部材（３、５）の夫々の側部に設けた請求項１乃至８のいずれかに記載の固定装置。
【請求項１０】
請求項１乃至９のいずれかに記載の固定装置（１）を備えるマイクロホン。
【発明の詳細な説明】
【０００１】
【発明の属する技術分野】
本発明は、マイクロホン又はマイクロホンボタンを楽器に固定する固定装置に関する。
【０００２】
【従来の技術】
マイクロホンを楽器、特に吹奏楽器の鉢に固定できるこのような固定装置は公知である。この型式の実際に一般に使用されている固定装置は、複数の部品から成る高価な構造を有する。更に、固定装置の幾何学的寸法が、小型化が進んでますます小さくなったマイクロホンと比較して通常は極端に大きい。
【０００３】
【発明が解決しようとする課題】
本発明の目的は、簡単で小型の構造を有する冒頭に記載した型式の固定装置を提供することである。
【０００４】
【課題を解決するための手段】
本発明の上記目的は、間に弾力で楽器の一部を締付け得る２個の止着部材と、止着部材の夫々の端部が弾性的に連結される連結部材と、マイクロホン又はマイクロホンボタンを固定装置に固定する支持部品と、止着部材の各々に設けた操作部とを備え、又、固定装置の不使用状態において、止着部材の一方の操作部が、楽器の一部を締付ける時に止着部材の一方によって形成される弾力の方向に、止着部材の他方から少くとも部分的に張出し、更に、止着部材の少くとも１個が、分割片に少くとも２分割されており、且つ、分割片が、互いに間隔をあけて連結部材から大略側方に延在すると共に、別の止着部材が分割片の間に少くとも部分的に配置された冒頭に記載した型式の固定装置によって達成される。
【０００５】
本発明の長所は、特に、止着部材に設けた操作部により、極めて小型であると同時に簡単な構造型式が得られる点である。更に、操作部を押圧して固定装置を開放することによって、固定装置が容易に操作される。本発明の固定装置は、材料損傷性が無いため、楽器にかき傷や損傷を与えることなく楽器に着脱される。止着部材を複数に分割することによって、各分割片は、対応する止着部材の他の分割片に依存しない特定量だけ移動できる。これにより、固定装置は、複数の個所の屈曲接触面において楽器に当接する。従って、固定装置は、異なる楽器、特に、吹奏楽器の鉢の異なる曲率半径に対して確実な保持を付与する。
【０００６】
固定装置の合目的の別の構成において、分割片が、大略平行に、且つ、互いに間隔をあけて延在する。
【０００７】
固定装置の好ましい実施形態において、操作部が連結部材の近傍に配置される。これにより、固定装置が取付けられた楽器の一部が、止着部材の間にできるだけ広くはまり込む。これは、楽器を例えば速く移動させねばならない時にも、固定装置及びそれと共にマイクロホンの確実な保持を保証する。
【０００８】
操作部を分割片の各々に設けることは容易な操作に合目的である。
【０００９】
好ましい実施形態において、固定装置は、一体物として形成されると共に、好ましくは大略弾性材料から成る。これにより、固定装置の構造が更に単純化されると同時に製造費が更に低減される。
【００１０】
本発明の固定装置において、特に好ましくは、第１止着部材が２分割されている。分割片が、大略平行に且つ側方に互いに間隔をあけて連結部材から延在する。第２止着部材が、一体物として形成されていると共に、第１止着部材の分割片の大略間に配置されている。合目的の別の構成において、第１止着部材の分割片の自由端が互いに連結されている一方、第２止着部材が第１止着部材よりも短く形成されているため、第２止着部材が分割片の間に配置される。固定装置のこの構造により、固定装置が、止着部材の閉じた位置において、例えば鋳造及び／又は打抜きにより一体物で製造される。固定装置は、材料の弾性により設定される弾力に抗して、相補的な操作部材を同時押圧することにより開放される。止着部材を適当に造形することにより、止着部材の復元力が広い限界内で影響される。
【００１１】
固定装置の好ましい実施形態において、固定装置の楽器への取付けを容易にするために、止着部材の自由端を、楽器の一部を締付ける時に対応する止着部材によって形成される弾力の方向と逆に所定量だけ屈曲させている。止着部材の外方屈曲端は大略案内部材として働く。
【００１２】
固定装置の別の好都合な実施形態において、固定装置の楽器からの起こり得る脱落を防止するために、止り肩部を、止着部材の間に締付けるべき楽器の一部に指向する止着部材の夫々の側部に設けている。止り肩部は、止着部材の復元力により付与される各々の弾力方向に延在する。止り肩部は、組立状態において、例えば金管楽器の鉢周縁のつばを把持する。
【００１３】
【発明の実施の形態】
以下に、本発明の一実施形態を図面を参照して説明する。
【００１４】
図１乃至図４には、マイクロホンを楽器、特に吹奏楽器の鉢に固定する本発明の一実施形態にかかる固定装置１が一例として示されている。固定装置１は、大略棒状又はさお状の止着部材３及び５と、止着部材３及び５の夫々の端部が弾性的に連結された連結部材７と、マイクロホンを固定装置１に固定する図２及び図３には不図示の支持部品２５とを備える。
【００１５】
図示の実施形態において、止着部材３は、２分割されて、２個の分割片３ａと３ｂを備える。分割片３ａと３ｂは、大略平行であり、且つ、側方に互いに間隔をあけて配置されていると共に、連結部材７の端部から連結部材７の長手方向を横切って延在する。分割片３ａと３ｂは、連結部材７とは反対の対向する端において、連結部材７に大略平行に延在する板状の端部１７により互いに連結される。
【００１６】
別の止着部材５は、２分割止着部材３の分割片３ａと３ｂの大略間を連結部材７から延在する。止着部材５は止着部材３よりも短く形成されているので、止着部材５の端部１９が止着部材３の横断端部１７と衝突することはない。
【００１７】
止着部材３と５の連結部材７への配置と固定装置１の弾性により、止着部材３と５の端部１７と１９は、楽器の一部を止着部材３と５の間に締付けるように、互いに相対的に移動する。両方の止着部材３と５が互いに離隔するように移動せしめられると、その移動方向とは逆の弾力が夫々の止着部材３と５に形成される。弾力の方向１３と１５が、夫々、止着部材３と５に割当てられる。弾力方向１３と１５は、互いに逆に向いていると共に、止着部材３と５の長手方向及び端部１７の長手方向を横切って延在する。
【００１８】
連結部材７の近傍において、操作部９ａ、９ｂと１１が、夫々、分割片３ａ及び３ｂと止着部材５に設けられている。止着部材３と５を端部１７と１９の方向に更に延在させると、急勾配で立上る側部と平坦に終結する側部を有する止り肩部２１と２３が、夫々、止着部材３と５に形成されている。止着部材３と５の他の側面は大略平坦に形成され、又、止着部材３と５の端部１７と１９が、夫々、弾力方向１３と１５と逆に所定量だけ外方に屈曲させられている。
【００１９】
分割片３ａと３ｂの操作部９ａと９ｂは、止着部材３の弾力方向１３に外方へ延在する。操作部９ａと９ｂは、固定装置１の閉じた位置において弾力方向１３に指向し且つ大略平坦である、止着部材５の側面から張出す（図１参照）。逆に、止着部材５の操作部１１は、止着部材５の弾力方向１５の方向に延在すると共に、固定装置１の閉じた位置において弾力方向１５に指向し且つ大略平坦である、止着部材３の分割片３ａと３ｂの側面から張出す（図１）。
【００２０】
操作部９ａ、９ｂと１１の近傍において、止着部材３と５の全幅を大略横切って縦長に延在する複数の膨出部２７が止着部材３と５に設けられている。膨出部２７は固定装置１の安全な操作のために働く。止着部材３と５の対向する側において、止着部材３と５の幅をいくらか減少させている。
【００２１】
図示の実施形態において、連結部材７は、止着部材３及び５と一体に形成されていると共に、大略円筒形状を有する。この円筒は止着部材３及び５に直角に延在すると共に、複数の互いに間隔をあけて大略全周に渡る溝２９をこの円筒の周囲に設けている。又、図示の実施形態において、この円筒の軸心は止着部材３及び５の旋回軸心と大体一致する。
【００２２】
支持部品２５は、長手方向に延在する切欠きを有するさやの形状を有する。支持部品２５は、連結部材７の長手方向を横切るように回転部材３１に固定されている。回転部材３１は、大略円筒状に形成されていると共に、連結部材７にその長手方向の片側で同一直径で接続する。回転部材３１は、連結部材７に対して軸２６の回りを回転自在に収容される。更に、軸２６は、円筒状連結部材７の中心長手方向の片側を延在する。幅広の頭部を有するボルト３２が軸２６の外方端に固着されている。ボルト３２の幅広の頭部は、回転部材３１が回転部材３１に固定されている支持部品２５と共に軸２６から脱落することを防止する。
【図面の簡単な説明】
【図１】  本発明の一実施形態にかかる固定装置の側面図である。
【図２】  支持部品を省略した図１の固定装置の正面図である。
【図３】  図２のIII−III線に沿う断面図である。
【図４】  支持部品の領域を部分断面にした図１の固定装置の正面図である。
【符号の説明】
１  固定装置
３  止着部材
５  止着部材
７  連結部材
１７  端部
１９  端部
２５  支持部品
２６  軸
３１  回転部材
【図１】
0003987225.tif 000002
【図２】
0003987225.tif 000003
【図３】
0003987225.tif 000004
【図４】
0003987225.tif 000005